(57)【要約】  本発明は、特定のセロビオース・デヒドロゲナーゼ酵素を含む組成物、並びにある場所を洗浄及び／又は処理するための当該組成物の使用を含む、当該組成物の製造及び使用方法に関する。【特許請求の範囲】
【請求項１】
１つ以上の補助成分を含む組成物であって、前記１つ以上の補助成分が界面活性剤、ビルダー、キレート剤、移染防止剤、分散剤、追加の酵素及び酵素安定剤、触媒物質、漂白剤、ポリマー分散剤、粘土汚れ除去／再付着防止剤、増白剤、泡抑制剤、染料、香料、構造伸縮性付与剤、柔軟仕上げ剤、キャリア、ヒドロトロープ、加工助剤、溶媒、顔料、色調剤、光漂白剤、構造化剤、及びこれらの混合物からなる群から選択され、好ましくは、前記１つ以上の補助成分は、酵素を含み、好ましくは、前記酵素は、ペルオキシダーゼ、プロテアーゼ、リパーゼ、ホスホリパーゼ、セロビオヒドロラーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、又はこれらの混合物からなる群から選択され、より好ましくは、前記酵素は、
ａ．）リパーゼ、好ましくは配列番号８と９０％を超えるアミノ酸配列同一性を有するリパーゼ、
ｂ．）α−アミラーゼ、好ましくは配列番号９と９０％を超えるアミノ酸配列同一性を有するα−アミラーゼ、
ｃ．）エンドグルカナーゼ、好ましくは配列番号１０と９０％を超えるアミノ酸配列同一性を有するエンドグルカナーゼ、
ｄ．）プロテアーゼ、好ましくはメタロプロテアーゼ、中性又はアルカリ性のセリンプロテアーゼ、好ましくはサブチリシン、好ましくはバチルス・レンタス、バチルス・アルカロフィラス、枯草菌、バチルス・アミロリケファシエンス、及びこれらの混合物に由来するサブチリシン、並びに
ｅ．）これらの混合物、並びに
セロビオースデヒドロゲナーゼ酵素からなる群から選択され、前記組成物が、組成物の総重量を基準にして、０重量％のセルラーゼを含み、又は前記組成物は、０．０１〜１，０００，０００、好ましくは０．０２〜５００，０００、より好ましくは０．０５〜２００，０００、若しくは最も好ましくは０．１〜１０，０００のセロビオースデヒドロゲナーゼ酵素対セルラーゼの質量比を有し、所望により前記組成物は、
ａ）セロオリゴ糖、好ましくは、セロビオース、セロトリオース、セロテトラオース、セロペンタオース、セロヘキサオース、セロデキストリン及びこれらの混合物からなる群から選択されるセロオリゴ糖、ラクトース、マルトース、キシロビオース、並びにこれらの混合物、からなる群から選択されるオリゴ糖、
ｂ）非晶質セルロース、
ｃ）セルロース系ポリマー、好ましくはカルボキシメチルセルロース、並びに
ｄ）これらの混合物、からなる群から選択される物質を含む、組成物。
【請求項２】
前記セロビオースデヒドロゲナーゼが、マイセリオフトラ・サーモフィラ、ファネロキーテ・クリソスポリウム、カワラタケ、マイタケ、ネオサルトリア・フィッシェリ、ヒューミコラ・インソレンス、スクレロチウム・ロルフシイ、ミリオコッカム・サーモフィラム、及びこれらの組み合わせからなる群から選択される微生物に由来する野生型セロビオースデヒドロゲナーゼと最少６０％のアミノ酸配列同一性を有する、請求項１に記載の組成物。
【請求項３】
前記セロビオースデヒドロゲナーゼが、配列番号１、２、３、４、５、６、又は７からなる群から選択される配列番号に対応する配列を有する任意の酵素と最少７０％のアミノ酸配列同一性を有し、好ましくは前記セロビオースデヒドロゲナーゼ酵素が、配列番号１、２、又は配列番号３のアミノ酸２２〜７８５からなる群から選択される配列番号に対応する配列と最少８５％のアミノ酸配列同一性を有する、請求項１又は２に記載の組成物。
【請求項４】
前記セロビオースデヒドロゲナーゼ酵素が、炭水化物結合モジュール、好ましくはセルロース結合ドメインを含む、請求項１〜３のいずれか一項に記載の組成物。
【請求項５】
前記セロビオースデヒドロゲナーゼが、セロビオースデヒドロゲナーゼドメイン及びセロビオヒドロラーゼドメインを含む、請求項１〜４のいずれか一項に記載の組成物。
【請求項６】
前記組成物が、界面活性剤、ポリマー、ビルダー、及びこれらの混合物からなる群から選択される物質を含み、好ましくは前記界面活性剤が、
ａ．）アニオン性界面活性剤、好ましくは直鎖アルキルベンゼンフルホネート（ＬＡＳ）、アルコールエトキシサルフェート（ＡＥＳ）、中鎖分枝状アルキルサルフェート（ＨＳＡＳ）及びこれらの混合物からなる群から選択されるアニオン性界面活性剤、
ｂ．）非イオン性界面活性剤、好ましくはアルコールエトキシレートであって、前記アルコールエトキシレートが、好ましくは１〜１８個の炭素の鎖長を有する、非イオン性界面活性剤、
ｃ．）アミンオキシド、並びに
ｄ．）これらの混合物、からなる群から選択され、
好ましくは前記ポリマーが、
ａ．）ポリアクリレート、
ｂ．）マレイン酸／アクリル酸コポリマー、
ｃ．）セルロース由来ポリマー、好ましくはカルボキシメチルセルロース、メチルヒドロキシエチルセルロース、及びこれらの混合物からなる群から選択されるセルロース由来ポリマー、
ｄ．）ポリエチレンイミンポリマー、
ｅ．）汚れ放出ポリマー、好ましくはスルホイソフタレート、エチレンテレフタレート、オキシエチレンテレフタレート、及びこれらの混合物からなる群から選択される２つ以上のモノマーを含むコポリマー、並びに
ｆ．）これらの混合物、からなる群から選択され、
好ましくは、前記ビルダーが、
ａ．）クエン酸、
ｂ．）Ｃ１２〜Ｃ１８脂肪酸、
ｃ．）アルミノシリケート、一態様では、ゼオライトＡ、ゼオライトＸ、ゼオライトＹ、及びこれらの混合物からなる群から選択されるゼオライト、
ｄ．）トリポリリン酸ナトリウム、並びに
ｅ．）これらの混合物、からなる群から選択され、
好ましくは、前記組成物が、総製品重量を基準として、１５重量％未満、好ましくは１０重量％未満、より好ましくは８重量％未満、又は最も好ましくは０．０１重量％〜７重量％の前記ビルダーを含む、請求項１〜５のいずれか一項に記載の組成物。
【請求項７】
光漂白剤、布帛色調剤、及びこれらの混合物からなる群から選択される物質を含み、好ましくは、
ａ．）キサンテン染料及びこれらの混合物、
ｂ．）スルホン化亜鉛フタロシアニン、スルホン化アルミニウムフタロシアニン、エオシンＹ、ホキシンＢ、ローズベンガル、Ｃ．Ｉ．食用赤色１４、及びこれらの混合物、
ｃ．）水溶性フタロシアニン、並びに
ｄ．）これらの混合物、からなる群から選択される前記光漂白剤、
並びに好ましくは、
ａ．）染料、好ましくは小分子染料、高分子染料、及びこれらの混合物からなる群から選択される、前記染料、
ｂ．）少なくとも１つのカチオン性／塩基性染料及びスメクタイト粘土を含む、染料−粘土共役体、並びに
ｃ．）これらの混合物、からなる群から選択される、前記布帛色調剤、
並びにこれらの混合物、からなる群から選択される、請求項１〜６のいずれか一項に記載の組成物。
【請求項８】
ａ）過酸化水素源、
ｂ）漂白活性化剤、好ましくはテトラアセチルエチレンジアミン（ＴＡＥＤ）及び／又はノナノイルオキシベンゼンスルホネート（ＮＯＢＳ）、
ｃ）予備形成された過酸、
ｄ）ジアシルペルオキシド、
ｅ）テトラアシルペルオキシド、及び
ｆ）これらの混合物、
のうちの１つ以上から選択される漂白剤、
並びに／若しくはペルオキシ酸から酸素原子を受け取り前記酸素原子を酸化可能基質に移動させることができる漂白触媒を含む、請求項１〜７のいずれか一項に記載の組成物。
【請求項９】
カプセル化酵素及び／又は酵素小球を含み、好ましくは前記カプセル化酵素及び／又は酵素小球がセロビオースデヒドロゲナーゼ酵素を含む、請求項１〜８のいずれか一項に記載の組成物。
【請求項１０】
表面又は布地の処理及び／又は洗浄方法であって、所望により前記表面又は布地を洗う及び／又はすすぎ洗いする工程、前記表面又は布地を請求項１〜９のいずれか一項に記載の組成物と接触させる工程、次いで、所望により前記表面又は布地を洗う及び／又はすすぎ洗いする工程を含む、方法。
【発明の詳細な説明】
【技術分野】
【０００１】
本発明は、セロビオースデヒドロゲナーゼ酵素を含む組成物、並びに該組成物の製造及び使用方法に関する。
【背景技術】
【０００２】
酵素は、組成物の洗浄特性を改善するのに使用することができる。
【発明の概要】
【発明が解決しようとする課題】
【０００３】
残念ながら、改善された漂白の必要性が存在する一方で、有効かつ効率的な漂白をもたらす酵素を含む洗浄組成物は、いまだに作り出されていない。
【０００４】
意外にも、本明細書の教示により洗浄組成物にセロビオースデヒドロゲナーゼ酵素が組み込まれると、かかる組成物は、有効かつ効率的な漂白を供給する。
【課題を解決するための手段】
【０００５】
本発明は、特定のセロビオースデヒドロゲナーゼ酵素を含む組成物、並びにかかる組成物の製造及び使用方法に関する。特定のセロビオースデヒドロゲナーゼ酵素を含む組成物が本発明の教示に従って処方されると、かかる組成物は有効かつ効率的な漂白をもたらすことができる。
【発明を実施するための形態】
【０００６】
定義
本明細書で使用する時、「洗浄組成物」という用語は、他に指示がない限り、粒状又は粉末形態の万能又は「強力」洗浄剤、特に洗濯洗剤；液体、ゲル又はペースト形態の万能洗浄剤、特にいわゆる強力液体タイプ；液体高級布地用洗剤；手洗い食器洗浄剤又は軽質食器洗浄剤、特に高起泡タイプのもの；家庭及び企業での使用のための種々の錠剤、粒状、液体及びリンス補助型を含む機械食器洗浄剤；抗菌ハンドウォッシュタイプ、洗濯バー、うがい薬、義歯クリーナー、車又はカーペット用シャンプー、浴室クリーナーを含む液体洗浄剤及び消毒剤；ヘアシャンプー及びヘアリンス；シャワージェル及び泡バス及び金属クリーナー；並びに、漂白添加物質、洗濯添加物質又は前処理剤、及び「染み用スティック」又は前処理タイプのような洗浄補助剤を含む。
【０００７】
本明細書で使用するとき、「独立して〜からなる群から選択される」という言い回しは、引用されているマーカッシュ群から選択される部分又は要素が同じか、異なるか、又は任意の要素の組み合わせであり得ることを意味する。
【０００８】
本明細書で使用する時、「セロビオースデヒドロゲナーゼ酵素」又は「ＣＤＨ」という用語は、以下の基質：
ａ）セロビオース、セロトリオース、セロテトラオース、セロペンタオース、セロヘキサオース、セロデキストリン及びこれらの混合物からなる群から選択されるセロオリゴ糖を含むセロオリゴ糖、ラクトース、マルトース、キシロビオース、並びにこれらの混合物、からなる群から選択されるオリゴ糖、
ｂ）非晶質セルロース、
ｃ）セルロース系ポリマー、好ましくはカルボキシメチルセルロース、並びに
ｄ）これらの混合物、
の１つ以上を酸化することができ、かつＥＣ分類がＥＣ．１．１．９９．１８又はＥＣ１．１．５．１（ＥＣ．１．１．９９．１８のタンパク質分解産物）である、酵素を指し、セロビオースデヒドロゲナーゼ、セロビオースオキシダーゼ、セロビオースデヒドロゲナーゼ（キノン）、セロビオースオキシドレダクターゼ、又はセロビオースキノンオキシドレダクターゼとして述べられる場合がある。
【０００９】
本明細書で使用する時、「セロビオヒドロラーゼドメイン」という用語は、ＥＣ分類がＥＣ３．２．１．９１又はＥＣ３．２．１．１５０であり、セルロース又はキシログルカンなどの異なる多糖類基質からセロビオースを遊離できる、酵素の触媒ドメインを指す。
【００１０】
「炭水化物結合モジュール」又は「ＣＢＭ」という表現は、その関連酵素を炭水化物に向ける、炭水化物に対する親和性を有するモジュールを指す。
【００１１】
本明細書で使用するとき、「ａ」及び「ａｎ」のような冠詞は、特許請求の範囲で使用されるときには、１つ以上の請求又は記載されるものを意味するものと理解される。
【００１２】
本明細書で使用するとき、「含む」、「挙げられる」及び「含んでいる」（include, includes and including）という用語は、「含まれる（挙げられる）が、これらに限定されない」という表現と同義であることを意味する。
【００１３】
特に記載のない限り、成分又は組成物の濃度は全て、成分又は組成物の活性濃度に関するものであり、市販の供給源に存在する可能性がある不純物、例えば残留溶媒又は副生成物は除く。
【００１４】
特に記載のない限り、本発明のセロビオースデヒドロゲナーゼ酵素は、活性タンパク質レベルによって表現され、例えば残留溶媒又は副生成物のような、市販の供給源に存在し得る不純物は除く。
【００１５】
百分率及び比率は全て、特に指示がない限り、重量で計算される。百分率及び比率は全て、特に指示がない限り、組成物全体を基準にして計算される。
【００１６】
本明細書を通じて記載されているあらゆる最大数値限定は、それよりも小さいあらゆる数値限定を、あたかもこうしたそれよりも小さい数値限定が本明細書に明確に記載されているかのように包含すると理解すべきである。本明細書を通じて記載されているあらゆる最小数値限定は、それよりも大きいあらゆる数値限定を、あたかもこうしたそれよりも大きい数値限定が本明細書に明確に記載されているかのように包含する。本明細書を通じて記載されているあらゆる数値範囲は、こうしたより広い数値範囲内に入る、それよりも狭いあらゆる数値範囲を、あたかもこうしたそれよりも狭い数値範囲が全て本明細書に明確に記載されているかのように包含するであろう。
【００１７】
組成物
一態様では、１つ以上の補助成分及びセロビオースデヒドロゲナーゼ酵素を含み得る組成物であって、前記組成物が組成物の総重量を基準にして、０重量％のセルラーゼを含み、又は前記組成物は、約０．０１〜約１，０００，０００、約０．０２〜約５００，０００、約０．０５〜約２００，０００、若しくは更に約０．１〜約１０，０００のセロビオースデヒドロゲナーゼ酵素対セルラーゼの質量比を有する組成物が開示される。
【００１８】
かかる組成物の一態様では、このセロビオースデヒドロゲナーゼは、マイセリオフトラ（Myceliophtore）・サーモフィラ、ファネロキーテ・クリソスポリウム、カワラタケ、マイタケ、ネオサルトリア・フィッシェリ、ヒューミコラ・インソレンス、スクレロチウム・ロルフシイ、ミリオコッカム・サーモフィラム、及びこれらの組み合わせからなる群から選択される微生物に由来する野生型セロビオースデヒドロゲナーゼと最少６０％のアミノ酸配列同一性を有し得る。
【００１９】
かかる組成物の一態様では、このセロビオースデヒドロゲナーゼは、配列番号１、２、３、４、５、６、又は７からなる群から選択される配列番号に対応する配列を有する任意の酵素と最少７０％のアミノ酸配列同一性を有し得る。
【００２０】
かかる組成物の一態様では、このセロビオースデヒドロゲナーゼ酵素は、配列番号１、２、又は配列番号３のアミノ酸２２〜７８５からなる群から選択される配列に対応する配列と最少８５％のアミノ酸配列同一性を有し得る。
【００２１】
かかる組成物の一態様では、この組成物は、
ａ）セロビオース、セロトリオース、セロテトラオース、セロペンタオース、セロヘキサオース、セロデキストリン及びこれらの混合物からなる群から選択されるセロオリゴ糖を含む、セロオリゴ糖、ラクトース、マルトース、キシロビオース、並びにこれらの混合物、からなる群から選択されるオリゴ糖、
ｂ）非晶質セルロース、
ｃ）カルボキシメチルセルロースを含むセルロース系ポリマー、並びに
ｄ）これらの混合物、からなる群から選択される物質を含んでもよい。
【００２２】
かかる組成物の一態様では、このセロビオースデヒドロゲナーゼ酵素は、セルロース結合ドメインなどの炭水化物結合モジュールを含んでもよい。
【００２３】
かかる組成物の一態様では、このセロビオースデヒドロゲナーゼは、セロビオースデヒドロゲナーゼドメイン及びセロビオヒドロラーゼドメインを含んでもよい。
【００２４】
かかる組成物の一態様では、１つ以上の補助成分は、界面活性剤、ビルダー、キレート剤、移染防止剤、分散剤、追加の酵素及び酵素安定剤、触媒物質、漂白剤、ポリマー分散剤、粘土汚れ除去／再付着防止剤、増白剤、泡抑制剤、染料、香料、構造伸縮性付与剤、柔軟仕上げ剤、キャリア、ヒドロトロープ、加工助剤、溶媒、顔料、色調剤、光漂白剤、構造化剤、及びこれらの混合物からなる群から選択されてもよい。
【００２５】
かかる組成物の一態様では、この１つ以上の補助成分は、酵素を含んでもよい。かかる組成物の一態様では、この酵素は、ペルオキシダーゼ、プロテアーゼ、リパーゼ、ホスホリパーゼ、セロビオヒドロラーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、又はこれらの混合物からなる群から選択されてもよい。かかる組成物の一態様では、この酵素は、
ａ．）配列番号８と９０％を超えるアミノ酸配列同一性を有するリパーゼなどの、リパーゼ、
ｂ．）配列番号９と９０％を超えるアミノ酸配列同一性を有するα−アミラーゼなどの、α−アミラーゼ、
ｃ．）配列番号１０と９０％を超えるアミノ酸配列同一性を有するエンドグルカナーゼなどの、エンドグルカナーゼ、
ｄ．）プロテアーゼ、例えばメタロプロテアーゼ、中性又はアルカリ性のセリンプロテアーゼ、例えばバチルス・レンタス、バチルス・アルカロフィラス、枯草菌、バチルス・アミロリケファシエンス、及びこれらの混合物に由来するものを含む、サブチリシン、並びに
ｅ．）これらの混合物、からなる群から選択されてよい。
【００２６】
かかる組成物の一態様では、１つ以上の補助成分は、
ａ．）直鎖アルキルベンゼンフルホネート（ＬＡＳ）、アルコールエトキシサルフェート（ＡＥＳ）、中鎖分枝状アルキルサルフェート（ＨＳＡＳ）及びこれらの混合物からなる群から選択されるアニオン性界面活性剤を含むアニオン性界面活性剤、
ｂ．）一態様では１〜１８個の炭素の鎖長を有するアルコールエトキシレートを含む非イオン性界面活性剤、
ｃ．）アミンオキシド、
並びにこれらの混合物、の群から選択される界面活性剤などの、界面活性剤を含んでよい。
【００２７】
かかる組成物の一態様では、この組成物は、ポリマーを含んでもよい。一態様では、このポリマーは、
ａ．）ポリアクリレート、
ｂ．）マレイン酸／アクリル酸コポリマー、
ｃ．）カルボキシメチルセルロース、メチルヒドロキシエチルセルロース、及びこれらの混合物からなる群から選択されるセルロース由来ポリマーなどの、セルロース由来ポリマー、
ｄ．）ポリエチレンイミンポリマー、
ｅ．）スルホイソフタレート、エチレンテレフタレート、オキシエチレンテレフタレート、及びこれらの混合物からなる群から選択される２つ以上のモノマーを含むコポリマーなどの、汚れ放出ポリマー、並びに
ｆ．）これらの混合物、からなる群から選択されてよい。
【００２８】
かかる組成物の一態様では、この組成物は、ビルダーを含んでもよい。かかる組成物の一態様では、このビルダーは、
ａ．）クエン酸、
ｂ．）Ｃ１２〜Ｃ１８脂肪酸、
ｃ．）アルミノシリケート、一態様では、ゼオライトＡ、ゼオライトＸ、ゼオライトＹ、及びこれらの混合物からなる群から選択されるゼオライト、
ｄ．）トリポリリン酸ナトリウム、並びに
ｅ．）これらの混合物、からなる群から選択されてよい。
【００２９】
かかる組成物の一態様では、この組成物は、総製品重量を基準にして約１５重量％未満、約１０重量％未満、約８重量％未満、又は更には約０．０１重量％〜約７重量％のビルダーを含んでよい。
【００３０】
かかる組成物の一態様では、この組成物は、光漂白剤、布帛色調剤、及びこれらの混合物からなる群から選択される物質を含んでよい。一態様では、光漂白剤は、
ａ．）キサンテン染料及びこれらの混合物、
ｂ．）スルホン化亜鉛フタロシアニン、スルホン化アルミニウムフタロシアニン、エオシンＹ、ホキシンＢ、ローズベンガル、Ｃ．Ｉ．食用赤色１４、及びこれらの混合物、
ｃ．）水溶性フタロシアニン、並びに
ｄ．）これらの混合物、
からなる群から選択されることができ、布帛色調剤は、
ａ．）一態様では、小分子染料、高分子染料、及びこれらの混合物からなる群から選択される、染料、
ｂ．）少なくとも１つのカチオン性／塩基性染料及びスメクタイト粘土を含む、染料−粘土共役体、並びに
ｃ．）これらの混合物、
並びにこれらの混合物、からなる群から選択されてよい。
【００３１】
一態様では、この組成物は、
ａ）過酸化水素源、
ｂ）テトラアセチルエチレンジアミン（ＴＡＥＤ）及び／又はノナノイルオキシベンゼンスルホネート（ＮＯＢＳ）などの、漂白活性化剤、
ｃ）予備形成された過酸、
ｄ）ジアシルペルオキシド、
ｅ）テトラアシルペルオキシド、並びに
ｆ）これらの混合物、のうちの１つ以上から選択される漂白剤を含んでもよい。
【００３２】
かかる組成物の一態様では、この組成物は酸素原子をペルオキシ酸から受け取り、かつその酸素原子を酸化性基質に移動させることが可能な、漂白剤触媒を含んでもよい。
【００３３】
前述の組成物の一態様では、任意の酵素成分が小球の形態で封入及び／又は提供されてもよい。
【００３４】
前述の組成物の一態様では、かかる組成物は、任意の形態、例えば顆粒若しくは粉末などの固体、又は液体、ペースト、若しくはゲルなどの流体の形態をとってよい。
【００３５】
前述の組成物の一態様では、かかる組成物は、洗浄組成物及び／又は処理組成物であることができる。
【００３６】
本明細書で開示される組成物は、「組成物」と題された本明細書の項で上述されたパラメーターの許容できる任意の組み合わせを有してよい。
【００３７】
本明細書の組成物での使用に好適なセロビオースデヒドロゲナーゼ酵素には、「好適なセロビオースデヒドロゲナーゼ酵素」と題された本明細書の項に記載されるセロビオースデヒドロゲナーゼ酵素が挙げられる。
【００３８】
理論に束縛されるものではないが、本明細書の教示に従って処方される組成物は、果物（例えばブルーベリー）、赤ワイン、茶又はコーヒーなどの漂白可能な汚れの染み除去に特に有効であると考えられている。かかる組成物は、白さ及び／又は黒ずみの洗浄効果をもたらすのに特に有効であると考えられている。更に、特定のセロビオースデヒドロゲナーゼ酵素は、洗浄組成物において意外にも安定しているため、そのような優れた洗浄特性をもつ洗浄組成物を提供することができると考えられている。理論に束縛されるものではないが、かかるセロビオースデヒドロゲナーゼ酵素は、綿の布地及び／又は汚れ表面に酸化種を発生させることができることによって、溶液に等価の漂白種を加えた場合よりも優れた洗浄を付与すると考えられている。
【００３９】
好適なセロビオースデヒドロゲナーゼ酵素
好適なセロビオースデヒドロゲナーゼ酵素は、ミセリオフトラ（Myceliophtore）・サーモフィラ、ファネロキーテ・クリソスポリウム、カワラタケ、マイタケ、アスペルギルスニゲル、ネオサルトリア・フィッシェリ、ヒューミコラ・インソレンス、スクレロチウム・ロルフシイ、及びミリオコッカム・サーモフィラムのうちの１つから分離されることができる。かかる酵素の例は、Ｊ．Ｂｉｏｔｅｃｈｎｏｌｏｇｙ  ７８（２０００）９３〜１１３、Ａｐｐｌｉｅｄ  ａｎｄ  Ｅｎｖｉｒｏｎｍｅｎｔａｌ  Ｍｉｃｒｏｂｉｏｌｏｇｙ、Ａｐｒ．２００１、ｐ．１７６６〜１７７４、米国特許第６，０３３，９８１号及びＥｌｅｃｔｒｏａｎａｌｙｓｉｓ  １９、２〜３、２００７、１７２〜１８０に記載されている。
【００４０】
好適なセロビオースデヒドロゲナーゼ酵素としては、一態様ではＥＣ分類１．１．９９．１８に属するヘモフラボタンパク質（haemoflavoproteins）が挙げられ、これは典型的な洗浄条件下で活性である。
【００４１】
好適なセロビオースデヒドロゲナーゼ酵素は、米国特許第５，３２４，６５３号及び米国特許第７，１６３，８１６  Ｂ２号に記載されているものなどの、当該技術分野において周知の技術によって、洗剤における安定性を改善するように変更されたタンパク質であってよい。
【００４２】
好適なセロビオースデヒドロゲナーゼ酵素は、配列番号１〜７として示される配列の酵素と６０％を超える、又は７０％を超える、又は８０％を超える、又は９０％を超える、又は９５％を超える、又は９８％を超えるアミノ酸配列同一性を有してもよい。本発明の目的のために、アミノ酸配列間の同一性の度合いは、Ｔａｔｕｓｏｖａ  ＆  Ｍａｄｄｅｎ（１９９９）ＦＥＭＳ  Ｍｉｃｒｏｂ．Ｌｅｔｔ．１７４（２）：２４７〜２５０に記載されるＢＬＡＳＴＰ（基本ローカルアラインメント検索ツール）アルゴリズム及び／又はＢＬＡＳＴ  ２配列ツールを使用して決定されるが、両方ともＮＣＢＩウェブサイト（ウェブアドレス：ｈｔｔｐ：／／ｗｗｗ．ｎｃｂｉ．ｎｌｍ．ｎｉｈ．ｇｏｖ／ＢＬＡＳＴ／）で自由に入手可能である。配列アラインメントに使用されるパラメーターは、言及されたウェブサイトでのデフォルト設定である。
【００４３】
好適なセロビオースデヒドロゲナーゼは、セルロース結合ドメインなどのＣＢＭを含有してよい。
【００４４】
好適なセロビオースデヒドロゲナーゼ酵素は、任意にリンカー分子を介して、セルロース分解性、ヘミセルロース分解性、又はセロビオヒドロラーゼの活性を有する更なる触媒ドメインに融合してもよい。
【００４５】
前述の酵素は、低粉化性の固体（典型的には顆粒又は小球(prill)）の形態で、又は安定化液体、又は保護液体若しくはカプセル化酵素(encapsulated enzyme)として提供されることができる。低小球形成、押出成形、球形化、ドラム造粒及び流動層スプレーコーティングなどの、低粉化性の固体の形態の酵素を製造するための多くの技術が、当該技術分野において記載されており、米国特許第４，１０６，９９１号、米国特許第４，２４２，２１９号、米国特許第４，６８９，２９７号、米国特許第５，３２４，６４９号及び米国特許第７，０１８，８２１  Ｂ２号に例示されている。液体酵素の調製は、例えば、実証されている方法に従って、プロピレングリコール、糖又は糖アルコール、乳酸又はホウ酸などのポリオールを加えることにより安定化させることができる。保護液体酵素又はカプセル化酵素は、米国特許第４，９０６，３９６号、米国特許第６，２２１，８２９  Ｂ１号、米国特許第６，３５９，０３１  Ｂ１号及び米国特許第６，２４２，４０５  Ｂ１号に開示されている方法に従って調製することができる。
【００４６】
補助剤物質
本発明の目的には必須ではないが、以下に例示されている添加剤の非限定的なリストは、当該組成物中で使用するのに適しており、例えば、洗浄性能を補助若しくは向上させるために、洗浄すべき基材の処理のために、又は香料、着色剤、染料などを用いる場合のように洗浄組成物の審美性を変化させるために、本発明の特定の実施形態に組み込むのが望ましい場合がある。このような追加成分の明確な性質及びそれらを組み込む濃度は、組成物の物理的形態及びそれが使用される洗浄作業の性質に依存する。好適な補助剤物質としては、界面活性剤、ビルダー、キレート剤、移染防止剤、分散剤、追加の酵素及び酵素安定剤、触媒物質、漂白活性化剤、過酸化水素、過酸化水素源、予備形成された過酸、ポリマー分散剤、粘土汚れ除去／再付着防止剤、増白剤、泡抑制剤、染料、光漂白剤、香料、構造伸縮性付与剤、柔軟仕上げ剤、キャリア、ヒドロトロープ、加工助剤、溶媒、色調剤、構造化剤及び／又は顔料が挙げられるが、これらに限定されない。下記の開示に加え、このような他の補助剤の好適な例及び使用濃度は、米国特許第５，５７６，２８２号、同第６，３０６，８１２  Ｂ１号、及び同第６，３２６，３４８  Ｂ１号に記載されており、これらは参照により組み込まれる。
【００４７】
上述の如く、補助成分は、本出願人らの組成物には必須ではない。したがって、本出願人らの組成物の特定の実施形態には、界面活性剤、ビルダー、キレート剤、移染防止剤、分散剤、追加の酵素及び酵素安定剤、触媒物質、漂白活性化剤、過酸化水素、過酸化水素源、予備形成済み過酸、ポリマー分散剤、粘土汚れ除去／再付着防止剤、増白剤、泡抑制剤、染料、香料、構造弾性化剤、柔軟仕上げ剤、キャリア、向水性物質、加工助剤、溶媒、及び／又は顔料という補助剤物質が１つ以上含まれていない。しかしながら、１種以上の補助剤が存在するとき、１種以上の補助剤は、以下に詳細に記載されるように存在してもよい。
【００４８】
漂白剤及び非金属漂白剤触媒−本発明の洗浄組成物は、１つ以上の漂白剤を含んでよい。漂白触媒以外の適切な漂白剤としては、光漂白剤、漂白活性化剤、過酸化水素、過酸化水素源、予備形成過酸、及びこれらの混合物が挙げられる。一般的に、漂白剤が使用される場合、本発明の組成物は、標記洗浄組成物の約０．１重量％〜約５０重量％、又は更に約０．１重量％〜約２５重量％の漂白剤を含んでよい。適切な漂白剤の例としては、以下のものが挙げられる。
【００４９】
（１）予備形成された過酸：好適な予備形成された過酸としては、過カルボン酸及び塩、過炭酸及び塩、ペルイミド酸（perimidic acids）及び塩、ペルオキシ一硫酸及び塩、例えばオキソン（Oxone）（登録商標）、並びにこれらの混合物からなる群から選択される化合物が挙げられるが、これらに限定されない。適切な過カルボン酸としては、化学式Ｒ−（Ｃ＝Ｏ）Ｏ−Ｏ−Ｍを有する疎水性及び親水性過酸が挙げられる（式中、Ｒはアルキル基であり、所望により、分枝状でおり、過酸が疎水性の場合には、６〜１４個の炭素原子、又は８〜１２個の炭素原子を有し、過酸が親水性の場合には、６個未満の炭素原子、又は更には４個未満の炭素原子を有し、Ｍは、対イオン（例えば、ナトリウム、カリウム又は水素）である；
（２）過酸化水素源、例えば過ホウ酸塩（通常１又は４水和物）、過炭酸塩、過硫酸塩、過リン酸塩、過ケイ酸塩及びこれらの混合物のナトリウム塩などのアルカリ金属塩を含む無機過水和物塩発明の１つの態様では、無機過水和物塩は、過ホウ酸塩、過炭酸塩、及びこれらの混合物のナトリウム塩類からなる群から選択される。無機過水和物塩（用いた場合）は、典型的には、全組成物の０．０５〜４０重量％、又は１〜３０重量％の量で存在し、典型的には、当該組成物中へ結晶固形物（コーティングされていてもよい）として組み込まれる。好適なコーティングとしては、無機塩（アルカリ金属ケイ酸塩、炭酸塩若しくはホウ酸塩、又はこれらの混合物など）、又は有機物質（水溶性若しくは分散性ポリマー、ワックス、油又は脂肪石鹸など）が挙げられる；及び、
（３）Ｒ−（Ｃ＝Ｏ）−Ｌを有する漂白活性化剤（式中、Ｒはアルキル基であり、所望により分枝状であり、前記漂白活性化剤が疎水性の場合、６〜１４個の炭素原子、又は８〜１２個の炭素原子を有し、前記漂白活性化剤が親水性の場合、６個未満の炭素原子又は更にＣ４個未満の炭素原子を有し、及びＬは脱離基である。）適切な脱離基の例は、安息香酸及びその誘導体（特に、ベンゼンスルホネート）である。好適な漂白活性化剤類としては、ドデカノイルオキシベンゼンスルホネート、デカノイルオキシベンゼンスルホネート、デカノイルオキシ安息香酸又はその塩類、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。適切な漂白活性剤は、ＰＣＴ国際公開特許第９８／１７７６７号にも開示されている。いかなる好適な漂白活性化剤も使用してよいが、発明の１つの態様では、標記洗浄組成物は、ＮＯＢＳ、ＴＡＥＤ又はこれらの混合物を含んでもよい。
（４）本組成物での使用に好適な非金属漂白剤触媒及びかかる触媒の適切な濃度は、米国特許第７，１６９，７４４  Ｂ２号及び米国特許出願第２００６／０２８７２１０  Ａ１号に開示されている。
【００５０】
過酸及び／又は漂白活性化剤（存在する場合）は、一般に、組成物を基準にして、約０．１〜約６０重量％、約０．５〜約４０重量％、又は更に約０．６〜約１０重量％の量で、組成物中に存在する。１以上の疎水性過酸類又はその前駆体を、１以上の親水性過酸又はその前駆体と組み合わせて使用してもよい。
【００５１】
過酸化水素供給源及び過酸又は漂白活性化剤の量は、有効酸素（過酸化物供給源より供給される）対過酸のモル比が、１：１〜３５：１、又は更に２：１〜１０：１となるように選択されてよい。
【００５２】
界面活性剤−本発明による洗浄組成物は、界面活性剤又は界面活性剤系を含んでよく、界面活性剤は、非イオン性界面活性剤、アニオン性界面活性剤、カチオン性界面活性剤、両性界面活性剤、双極性界面活性剤、半極性非イオン性界面活性剤、及びこれらの混合物から選択されてよい。界面活性剤（存在する場合）は、典型的には、標記組成物の約０．１重量％〜約６０重量％、約１重量％〜約５０重量％、又は更に約５重量％〜約４０重量％の濃度で存在する。
【００５３】
ビルダー類−本発明の洗剤組成物は、１以上の洗剤ビルダー又はビルダー系を含んでよい。ビルダーを使用する場合、標記組成物は、典型的には、標記組成物の少なくとも約１重量％、約５重量％〜約６０重量％、又は更に約１０重量％〜約４０重量％のビルダーを含む。
【００５４】
ビルダー類には、ポリホスフェートのアルカリ金属塩、アンモニウム塩及びアルカノールアンモニウム塩、アルカリ金属ケイ酸塩、アルカリ土類及びアルカリ金属の炭酸塩、アルミノケイ酸塩ビルダーポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸及びカルボキシメチルオキシコハク酸、エチレンジアミン四酢酸及びニトリロ三酢酸のようなポリ酢酸の様々なアルカリ金属塩、アンモニウム塩及び置換アンモニウム塩、並びに、例えばメリト酸、コハク酸、クエン酸、オキシジコハク酸、ポリマレイン酸、ベンゼン１，３，５−トリカルボン酸、カルボキシメチルオキシコハク酸などのポリカルボキシレート、並びにこれらの可溶性塩が挙げられるが、これらに限定されない。
【００５５】
キレート剤−本明細書の洗浄組成物は、キレート剤を含有してもよい。好適なキレート剤としては、銅、鉄及び／又はマンガンキレート剤、並びにこれらの混合物が挙げられる。キレート剤を使用する場合、標記組成物は、標記組成物の約０．００５重量％〜約１５重量％、又は更に約３．０重量％〜約１０重量％のキレート剤を含んでよい。
【００５６】
移染防止剤−本発明の洗浄組成物はまた、１以上の移染防止剤を含んでもよい。好適なポリマー移染防止剤には、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール、又はこれらの混合物が挙げられるが、これらに限定されない。標記組成物中に存在する場合、染料移行防止剤は、組成物の約０．０００１重量％〜約１０重量％、約０．０１重量％〜約５重量％、又は更に約０．１重量％〜約３重量％の濃度で存在してよい。
【００５７】
増白剤−本発明の洗浄組成物は、洗浄される物品に色付けることのできる追加成分（蛍光光沢剤など）も包含することができる。適切な蛍光増白剤の濃度としては、約０．０１重量％、約０．０５重量％、約０．１重量％、更には約０．２重量％の低い濃度から、０．５重量％、又は更には０．７５重量％の高い濃度までが挙げられる。
【００５８】
分散剤−本発明の組成物は分散剤も含むことができる。好適な水溶性有機物質類としては、ホモポリマー又はコポリマーの酸類又はそれらの塩類が挙げられ、それらのうちのポリカルボン酸は、互いに炭素原子２個を超えない程度に離れている少なくとも２個のカルボキシルラジカルを含む。
【００５９】
ポリマー−本発明の組成物は、１つ以上のポリマーを含有することもできる。これらには、汚れ放出ポリマー及び汚れ懸濁ポリマーが挙げられるであろう。これには、米国特許第４，７０２，８５７号によるブロックポリエステル、及び米国特許第４，９６８，４５１号によるスルホン化直鎖テレフタレートエステルオリゴマー、並びに米国特許第４，５９７，８９８号によるエトキシル化テトラエチレンペンタイミン（ＥＯ１５〜１８）、並びにＢＡＳＦから商標名ＬＵＴＥＮＳＩＴ（登録商標）及びＰＣＴ国際公開特許第０１／０５８７４号に記載されているものなどで入手可能な、エトキシル化ヘキサメチレンジアミンなど、当該技術分野において通常既知のポリマーが含まれるであろう。
【００６０】
一態様では、汚れ放出ポリマーは、スルホイソフタレート、エチレンテレフタレート、及びオキシエチレンテレフタレートから選択される２つ以上のモノマーを含むコポリマーであってよく、それには、商標名テックスケア（TexCare）（登録商標）ＳＲＡ及びテックスケア（TexCare）（登録商標）ＳＲＮ、例えばテックスケア（登録商標）ＳＲＡ３００及びテックスケア（登録商標）ＳＲＮ１００でクラリアント（Clariant）により販売されるものが含まれる。
【００６１】
更なる態様では、ポリマーには、ＰＥＧＶＡｃコポリマー、例えばソカラン（Sokalan）の商標名、例えばソカラン（Sokalan）ＨＰ２２でＢＡＳＦにより販売されているものなどの、ポリエチレン（Poly ethtlene）グリコール／酢酸アルキルコポリマーが含まれるであろう。
【００６２】
更なる態様では、ポリマーには、非晶質セルロース並びにアニオン性変性及び／又は非イオン性変性及び／又はカチオン性変性のセルロースなどの、セルロース系ベースのポリマーが含まれるであろう。好適なアニオン性変性セルロース誘導体の非限定例は、カルボキシメチルセルロース、カルボキシエチルセルロース、スルホエチルセルロース、スルホプロピルセルロース、セルロースサルフェート、リン酸化セルロース、カルボキシメチルヒドロキシエチルセルロース、カルボキシメチルヒドロキシプロピルセルロース、スルホエチルヒドロキシエチルセルロース、スルホエチルヒドロキシプロピルセルロース、カルボキシメチルメチルヒドロキシエチルセルロース、カルボキシメチルメチルセルロース、スルホエチルメチルヒドロキシエチルセルロース、スルホエチルメチルセルロース、カルボキシメチルエチルヒドロキシエチルセルロース、カルボキシメチルエチルセルロース、スルホエチルエチルヒドロキシエチルセルロース、スルホエチルエチルセルロース、カルボキシメチルメチルヒドロキシプロピルセルロース、スルホエチルメチルヒドロキシプロピルセルロース、カルボキシメチルドデシルセルロース、カルボキシメチルドデコイルセルロース、カルボキシメチルシアノエチルセルロース、及びスルホエチルシアノエチルセルロースのナトリウム又はカリウム塩である。好適な非イオン性変性セルロース誘導体の非限定例としては、メチルセルロース、エチルセルロース、プロピルセルロース、ヒドロキシエチルセルロース、ヒドロキシプロピルセルロース、メチルヒドロキシエチルセルロース、エチルヒドロキシエチルセルロース、ドデシルヒドロキシエチルセルロース、エチルヒドロキシプロピルセルロース、酢酸セルロース、メチルヒドロキシプロピルセルロース、メチルエチルヒドロキシエチルセルロース、ブチルグリシジルエーテル−ヒドロキシエチルセルロース、及びラウリルグリシジルエーテル−ヒドロキシエチルセルロースが挙げられる。
【００６３】
特定の例としては、フィンフィクス（Finnfix）ＢＤＡ（ノビアント（Noviant）から）、デンセル（Dencel）ＤＴ（トルコ、デニズリのデンキム（Denkim）から）、タイローズ（Tylose）ＣＲ１５００  Ｇ２（クラリアント（Clariant）から）、カルボースコード（Carbose codes）Ｄ６５、Ｄ７２、ＬＴ−３０及びＬＴ−２０（ペン・カルボース（Penn Carbose）から）、例えば米国特許第６，６００，０３３  Ｂ１号に記載されるような疎水変性セルロース誘導体、例えばドイツ特許第１０２００４０６３７６６号に記載されるようなポリエチレングリコールで変性されたセルロース誘導体が挙げられる。
【００６４】
酵素−洗浄組成物は、洗浄性能及び／又は布地ケア効果を提供する１以上の酵素を含むことができる。好適な酵素の例としては、ヘミセルラーゼ、ペルオキシダーゼ、プロテアーゼ、キシラナーゼ、リパーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。酵素はセルラーゼであることができ、セロビオースデヒドロゲナーゼ対セルラーゼの質量比は０．０５〜１００００００である。典型的な組み合わせは、例えば、プロテアーゼ及びリパーゼをアミラーゼと共に含んでよい酵素反応混液である。上述の追加酵素は、洗浄組成物に存在する場合、組成物の約０．００００１重量％〜約２重量％、約０．０００１重量％〜約１重量％、又は更には約０．００１重量％〜約０．５重量％の酵素タンパク質の濃度で存在してよい。
【００６５】
光漂白剤−洗浄組成物は、洗浄性能をもたらす１つ以上の光漂白剤を含むことができる。好適な触媒光漂白剤の例は、米国特許出願第２００７／０１９１２４９  Ａ１号に開示されており、本明細書において参照により組み込まれ、これには、キサンテン染料、スルホン化亜鉛フタロシアニン、スルホン化アルミニウムフタロシアニン、エオシンＹ、ホキシンＢ、ローズベンガル、Ｃ．Ｉ．食用赤色１４、アントラキノン及びナフタキノンなどの芳香族１，４−キノンからなる群から選択される光開始剤；αアミノケトン、特にベンゾイル部分を含有するもの（α−アミノアセトフェノンとも呼ばれる）；α−ヒドロキシケトン、特にα−ヒドロキシアセトフェノン；モノアシル、ビスアシル、及びトリスアシルホスフィンオキシド及びスルフィドなどの、リン含有光開始剤；ジアルコキシアセトフェノン；α−ハロアセトフェノン；トリスアシルホスフィンオキシド；ベンゾイン及びベンゾイン系光開始剤、２−エチルアントラキノン；ビタミンＫ３；２−サルフェートアントラキノン；２−メチル１−［４−フェニル］−２−モルホリノプロパン−１−オン（イルガキュア（Irgacure）（登録商標）９０７）；（２−ベンジル−２−ジメチルアミノ−１−（４−モルホリノフェニル）−ブタン−１−オン（イルガキュア（Irgacure）（登録商標）３６９）；（１−［４−（２−ヒドロキシエトキシ）−フェニル］−２ヒドロキシ−２−メチル−１−プロパン−１−オン）（イルガキュア（Irgacure）（登録商標）２９５９）；１−ヒドロキシ−シクロへキシル−フェニル−ケトン（イルガキュア（Irgacure）（登録商標）１８４）；オリゴ［２−ヒドロキシ２−メチル−１−［４（１−メチル）−フェニル］プロパノン（エサキュア（Esacure）（登録商標）ＫＩＰ１５０）；２−４−６−（トリメチルベンゾイル）ジフェニル−ホスフィンオキシド、ビス（２，４，６−トリメチルベンゾイル）−フェニル−ホスフィンオキシド（イルガキュア（Irgacure）（登録商標）８１９）；（２，４，６トリメチルベンゾイル）フェニルホスフィン酸エチルエステル（ルシリン（Lucirin）（登録商標）ＴＰＯ−Ｌ）；並びにこれらの混合物が挙げられる。
【００６６】
光漂白剤は組み合わせて使用することができる（いずれかの光漂白剤混合物を使用してもよい）。適切な光漂白剤は、アルドリッチ（Aldrich）（米国ウィスコンシン州ミルウォーキー）、フロンティアサイエンティフィック（Frontier Scientific）（米国ユタ州ローガン）、チバスペシャルティケミカルズ（Ciba Specialty Chemicals）（スイス、バーゼル）、ＢＡＳＦ（ドイツ、ルートウィヒスハーフェン）、ランベルティ（Lamberti S.p.A）（イタリア、ガッララーテ）、ディグローカラーコーポレーション（Dayglo Color Corporation）（インド、ムンバイ）、オーガニックダイスタフス（Organic Dyestuffs Corp.）（米国ロードアイランド州イーストプロビデンス）から購入可能であり、及び／又は本明細書に記載の実施例に従って生成可能である。
【００６７】
色調染料−洗浄組成物は、可視光スペクトルの少なくとも一部を吸収すると表面の色合いを変え、それによって消費者の好む白さ効果をもたらすことができる、１つ以上の色調染料を含むことができる。そのような色調染料の例は、米国特許出願第２００７／０１２９１５０  Ａ１号に開示されており、本明細書において参照により組み込まれ、これには、染料及び染料−粘土共役体が含まれるが、顔料を更に含んでもよい。好適な色調染料には、以下のものが含まれる。
（ａ）ダイレクトブルー、ダイレクトレッド、ダイレクトバイオレット、アシッドブルー、アシッドレッド、アシッドバイオレット、ベーシックブルー、ベーシックバイオレット、及びベーシックレッドの色指数（Ｃ．Ｉ．）分類の範囲の染料、又はこれらの混合物、例えばダイレクトバイオレット色指数（イギリス、ブラッドフォードの英国染料染色学会（Society of Dyers and Colourists））番号でダイレクトバイオレット９、ダイレクトバイオレット３５、ダイレクトバイオレット４８、ダイレクトバイオレット５１、ダイレクトバイオレット６６、ダイレクトブルー１、ダイレクトブルー７１、ダイレクトブルー８０、ダイレクトブルー２７９、アシッドレッド１７、アシッドレッド７３、アシッドレッド８８、アシッドレッド１５０、アシッドバイオレット１５、アシッドバイオレット１７、アシッドバイオレット２４、アシッドバイオレット４３、アシッドバイオレット４９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０及びアシッドブルー１１３、アシッドブラック１、ベーシックバイオレット１、ベーシックバイオレット３、ベーシックバイオレット４、ベーシックバイオレット１０、ベーシックバイオレット３５、ベーシックブルー３、ベーシックブルー１６、ベーシックブルー２２、ベーシックブルー４７、ベーシックブルー６６、ベーシックブルー７５、ベーシックブルー１５９、アシッドバイオレット１７、アシッドバイオレット１７、アシッドバイオレット４３、アシッドレッド７３、アシッドレッド８８、アシッドレッド１５０、アシッドブルー２５、アシッドブルー２９、アシッドブルー４５、アシッドブルー１１３、アシッドブラック１、ダイレクトブルー１、ダイレクトブルー７１、並びにダイレクトバイオレット５１からなる群から選択される、小分子染料。
（ｂ）ポリマー染料としては、共役色原体を含有するポリマー（染料ポリマー共役体）及び色原体がポリマーの主鎖に共重合されたポリマー並びにこれらの混合物、例えばリキティント（Liquitint）（登録商標）（米国サウスカロライナ州スパルタンバーグのミリケン（Milliken））の名前で販売される布地染色性着色剤（fabric-substantive colorants）、少なくとも１つの反応染料と、ヒドロキシル部分、一級アミン部分、二級アミン部分、チオール部分、及びこれらの混合物からなる群から選択される部分を含むポリマーからなる群から選択されるポリマーと、から形成される染料ポリマー共役体、からなる群から選択されるポリマー染料が挙げられる。更に別の態様では、好適なポリマー染料としては、リキティント（Liquitint）（登録商標）（米国サウスカロライナ州スパルタンバーグのミリケン（Milliken））バイオレットＣＴ、リアクティブブルー、リアクティブバイオレット、又はリアクティブレッド染料で共役されているカルボキシメチルセルロース（ＣＭＣ）（例えば、アイルランド、ウィックローのメガザイム（Megazyme）からアゾ−ＣＭ−セルロース（AZO-CM-CELLULOSE）という製品名（製品コードＳ−ＡＣＭＣ）で販売されているＣ．Ｉ．リアクティブブルー１９で共役されているＣＭＣなど）、及びこれらの混合物からなる群から選択されるポリマー染料が挙げられる。
（ｃ）染料粘土共役体（dye clay conjugates）としては、少なくとも１つのカチオン性／塩基性染料及びスメクタイト粘土を含む群から選択される染料粘土共役体、並びにこれらの混合物が挙げられる。
（ｄ）ウルトラマリンブルー（Ultramarine Blue）（Ｃ．Ｉ．ピグメントブルー２９）、ウルトラバイオレット（Ultramarine Violet）（Ｃ．Ｉ．ピグメントバイオレット１５）、及びこれらの混合物などの、顔料。
【００６８】
適切な布帛色調剤は、アルドリッチ（Aldrich）（米国ウィスコンシン州ミルウォーキー）、チバスペシャルティケミカルズ（Ciba Specialty Chemicals）（スイス、バーゼル）、ＢＡＳＦ（ドイツ、ルートウィヒスハーフェン）、デイグローカラーコーポレーション（Dayglo Color Corporation）（インド、ムンバイ）、オーガニックダイスタフス社（Organic Dyestuffs Corp.）（米国ロードアイランド州イーストプロビデンス）、ダイスター（Dystar）（ドイツ、フランクフルト）、ランクセス（Lanxess）（ドイツ、レバークーゼン）、メガザイム（Megazyme）（アイルランド、ウィックロー）、クラリアント（Clariant）（スイス、ムテンツ）、ミリケン（Milliken）（米国サウスカロライナ州スパルタンバーグ）、及びアベシア（Avecia）（英国マンチェスター）から購入可能である。
【００６９】
酵素安定剤−種々の技法によって、洗剤で使用する酵素類を安定化させることができる。本明細書で採用される酵素は、カルシウムイオン及び／又はマグネシウムイオンを酵素に供給する、最終組成物中のカルシウムイオン及び／又はマグネシウムイオンの水溶性供給源の存在によって安定化させることができる。プロテアーゼを含む水性組成物の場合、更に安定性を改善するために、可逆性蛋白質分解酵素抑制剤（ホウ素化合物など）を添加することができる。
【００７０】
触媒金属錯体−本出願人らの洗浄組成物は、触媒金属錯体を含むことができる。金属含有漂白触媒の１つの種類は、銅、鉄、チタン、ルテニウム、タングステン、モリブデン、又はマンガンの陽イオンのような、限定された漂白触媒活性の遷移金属陽イオン、亜鉛又はアルミニウムの陽イオンのような、漂白触媒活性をほとんど又は全く有さない補助金属陽イオン、並びに触媒金属及び補助金属の陽イオンに対して限定された安定度定数を有する金属イオン封鎖剤、特にエチレンジアミン四酢酸、エチレンジアミンテトラ（メチレンホスホン酸）及びそれらの水溶性の塩類を含む触媒系である。このような触媒は、米国特許第４，４３０，２４３号に開示されている。
【００７１】
必要に応じて、本明細書の組成物は、マンガン化合物を用いて触媒され得る。このような化合物及び使用濃度は当該技術分野で周知であり、例えば、米国特許第５，５７６，２８２号に開示されているマンガン系触媒が挙げられる。
【００７２】
本明細書において有用なコバルト漂白剤触媒は公知であり、例えば、米国特許第５，５９７，９３６号及び米国特許第５，５９５，９６７号に記載されている。このようなコバルト触媒は、例えば米国特許第５，５９７，９３６号及び米国特許第５，５９５，９６７号に教示されているような既知の手順によって容易に調製される。
【００７３】
本明細書での組成物は、ビスピドン（bispidones）（ＰＣＴ国際公開特許第０５／０４２５３２  Ａ１号）及び／又は「ＭＲＬ」と略されるマクロポリ環状硬質配位子などの配位子の遷移金属錯体を適切に含むことができる。実際的な事項として、しかも限定のためでなく、ここでの組成物と方法は、水溶性の洗浄媒質内にある少なくともおよそ１憶分の一の活性ＭＲＬ族を提供するよう、しかも典型的には約０．００５ｐｐｍから約２５ｐｐｍ、約０．０５ｐｐｍから約１０ｐｍ、更には約０．１ｐｐｍから約５ｐｐｍのＭＲＬが洗浄溶液中にあるよう調整することができる。
【００７４】
本遷移金属漂白触媒における好適な遷移金属としては、例えばマンガン、鉄及びクロムが挙げられる。好適なＭＲＬとしては、５，１２−ジエチル−１，５，８，１２−テトラアザビシクロ［６．６．２］ヘキサデカンが挙げられる。
【００７５】
好適な遷移金属ＭＲＬは、既知の手順、例えば、ＰＣＴ国際公開特許第００／３２６０１号及び米国特許第６，２２５，４６４  Ｂ１号で教示されているような既知の手順によって容易に製造される。
【００７６】
溶媒−好適な溶媒としては、水及び他の溶媒（例えば、親油性流体）が挙げられる。好適な親油性流体の例としては、シロキサン類、その他のシリコーン類、炭化水素類、グリコールエーテル類、例えばグリセリンエーテル類などのグリセリン誘導体類、ペルフルオロ化アミン類、ペルフルオロ化及びハイドロフルオロエーテル溶媒類、低揮発性の非フッ素化有機溶媒類、ジオール溶媒類、環境に優しいその他の溶媒類、並びにこれらの混合物が挙げられる。
【００７７】
組成物を生成する方法
本発明の組成物は、好適な任意の形態に処方されることができ、配合者により選択される任意のプロセスにより調製されることができるが、その非限定例は、本出願人による実施例、並びに米国特許第４，９９０，２８０号、米国特許出願第２００３／００８７７９１  Ａ１号、米国特許出願第２００３／００８７７９０  Ａ１号、米国特許出願第２００５／０００３９８３  Ａ１号、米国特許出願第２００４／００４８７６４  Ａ１号、米国特許第４，７６２，６３６号、米国特許第６，２９１，４１２  Ｂ１号、米国特許出願第２００５／０２２７８９１  Ａ１号、欧州特許第１０７０１１５  Ａ２号、米国特許第５，８７９，５８４号、米国特許第５，６９１，２９７号、米国特許第５，５７４，００５号、米国特許第５，５６９，６４５号、米国特許第５，５６５，４２２号、米国特許第５，５１６，４４８号、米国特許第５，４８９，３９２号、及び米国特許第５，４８６，３０３号に記載されている。
【００７８】
使用方法
本発明は、ある場所、とりわけ表面又は布地を洗浄及び／又は処理する方法を含む。それらの方法は、本出願人の洗浄組成物の実施形態を、希釈していない形態で、又は洗浄溶液中で希釈して、表面又は布地の少なくとも一部分に接触させ、その後、所望により、表面又は布地をすすぐ工程を含む。表面又は布地は前述のすすぎ工程の前に洗浄工程を経てもよい。本発明の目的上、洗浄には、擦ること及び機械的攪拌が挙げられるが、これらに限定されない。当業者に理解されるように、本発明の洗浄組成物は理想的には洗濯用途に用いるのに適している。それ故に、本発明は布地を洗濯するための方法を含む。この方法は、洗濯されるべき布地を本出願の洗浄組成物の少なくとも１つの実施形態、洗浄添加剤、又はこれらの混合物を含む洗浄洗濯溶液と接触させる工程を含む。布地は、標準的な消費者の使用条件で洗濯され得る大抵の任意の布地を含んでもよい。溶液のｐＨは約８〜約１０．５であるのが好ましい。組成物は、溶液中で約５００ｐｐｍ〜約１５，０００ｐｐｍの濃度で用いてよい。水温は、典型的には約５℃〜約９０℃の範囲である。水対布地の比率は典型的には、約１：１〜約３０：１である。
【実施例】
【００７９】
別段の指示がない限り、材料はアルドリッチ（Aldrich）（米国５３２０１ウイスコンシン州ミルウォーキー（Milwaukee）私書箱２０６０）から入手することができる。
【００８０】
実施例１：セロビオースデヒドロゲナーゼ酵素の製造
セロビオースデヒドロゲナーゼ酵素は、以下のように製造されることができる。
【００８１】
（ａ）スクレロチウム・ロルフシイからのセロビオースデヒドロゲナーゼ（ＣＤＨ）
（ｉ）スクレロチウム・ロルフシイからのＣＤＨの製造
スクレロチウム・ロルフシイＣＢＳ  １９１．６２を黴培養研究センター（Centraalbureau voor Schimmelcultures）（オランダ、バーン（Baarn））から入手することができる。有機体は、定期的な移送中、グルコース−マルトースサブロー寒天培地（glucose-maltose Sabouraud agar）プレート上で２５℃にて維持される。スクレロチウム・ロルフシイの振盪フラスコ培養物を、５００ｍＬの媒質の入ったバッフルされた１０００ｍＬのエルレンマイヤーフラスコ（Erlenmeyer flask）内で継続的に攪拌（１１０ｒｐｍ）しながら３０℃にて成長させる。実験培養に使用される媒質は、３０ｇＬ−１のα−セルロース、２０ｇＬ−１のペプトン、２０ｇＬ−１のグルタメート、２．５ｇＬ−１のＮＨ４ＮＯ３、１．５ｇＬ−１のＭｇＳＯ４・７Ｈ２Ｏ、０．６ｍｌｌ−１のＫＣｌ、及び０．３ｍｌｌ−１の微量元素の溶液（Ｓａｃｈｓｌｅｈｎｅｒ，Ａ．ｅｔ  ａｌ．「Ｐｒｏｄｕｃｔｉｏｎ  ｏｆ  Ｈｅｍｉｃｅｌｌｕｌｏｓｅ  Ｄｅｇｒａｄｉｎｇ  ａｎｄ  Ｃｅｌｌｕｌｏｓｅ  Ｄｅｇｒａｄｉｎｇ  Ｅｎｚｙｍｅｓ  ｂｙ  Ｖａｒｉｏｕｓ  Ｓｔｒａｉｎｓ  ｏｆ  Ｓｃｌｅｒｏｔｉｕｍ  ｒｏｌｆｓｉｉ．」Ａｐｐｌ．Ｂｉｏｃｈｅｍ．Ｂｉｏｔｅｃｈ  ６３〜６５（１９９７）：１８９〜２０１に記載の方法により）を含有する。ｐＨは、殺菌前にリン酸を使用して５．０に調整される。サブロープレート上で活発に培養している黴コロニーの外側周囲から切断されたいくつかの寒天プラグが、接種材料として使用される。接種されたフラスコは、７日間培養される。実験室規模の培養が、３０Ｌの作業容積を有する４０Ｌの攪拌タンク式バイオリアクター（スイス、ヴェッツィコンのＭＢＲ）内で実施される。バイオリアクターには、攪拌、温度、ｐＨ、溶存酸素濃度及びフォームの測定及び／又は制御のための器具類が装備されている。培養媒質は、振盪フラスコ培養で使用されるのと同じ媒質であり、１２１℃にてその場で３０分間殺菌される。培養中、温度は２５℃に維持され、最初に５．０に調整されたｐＨは、変動させることができる。攪拌は１ｒｐｍで一定であり、曝気は１．０ｖｏｌ．ａｉｒ（液量）−１分−１で行われる。前培養物（１０％ｖｏｌ．ｖｏｌ−１）は、バイオリアクター内での培養に使用されたのと同じ媒質上で成長した、７日目の振盪フラスコ培養物である。
１０日後、ＣＤＨ活性は、アッセイの項に記載される標準文献の方法を使用して検知されることができる。
（ｉｉ）スクレロチウム・ロルフシイからのＣＤＨの精製
遠心分離（１５分間、３０００×ｇ）によって菌糸体を分離し、ガラス繊維フィルタ（ＡＰ２０、７５ｍｍミリポア、米国ビレリカ）を通して圧力濾過で上澄を濾過し、次いで１０ｋＤａのマイクローザ（Microza）ポリスルホン限外濾過モジュール（米国ニューヨーク州ニューヨークのポール（Pall））を使用して濃縮する。アマシャムファルマシアバイオテク（Amersham Pharmacia biotech）ＡＫＴＡ精製機９００に取り付けられたＧＥヘルスケアからのＱ−セファローズ（Q-Sepharose）高速カラム、ポンプＰ−９０３、モニターｐＨ／Ｃｏｎｄ−９００、モニターＵＶ−９００、オートサンプラーＦｒａｃ−９００（アマシャムバイオサイエンシスヨーロッパ社（Amersham Biosciences Europe GmbH）、オーストリア、ウィーン）を使用して、粗抽出物を更に精製し、５０ｍＭの酢酸ナトリウム緩衝剤、ｐＨ６．２５で予め平衡にする。カラムに適用する前に、試料を１０ｍＳ未満の伝導度に希釈し、炭酸ナトリウムでｐＨを６．２５に調整する。３カラム体積の０〜０．５ＭのＮａＣｌの線状塩勾配でタンパク質を溶出する。ＣＤＨ活性の留分をプールし、再び濃縮する。次いで、５０ｍＭの酢酸ナトリウム緩衝剤、ｐＨ６．２５で予め平衡にされたＤＥＡＥセファローズ高速カラム（５×５０ｃｍ、アマシャムバイオサイエンシス、スウェーデン、ウプサラ（Uppsala））に試料を適用する。試料緩衝剤、及び８カラム体積の１ＭのＮａＣｌを含む線状増加濃度の緩衝剤でタンパク質を溶出する。ＣＤＨ活性を有するそれらの留分をプールし、次いで、２００ｍＭのＮａＣｌを含有する１００ｍＭの酢酸ナトリウム緩衝剤、ｐＨ４．５で平衡にされた高負荷スーパーデックス（Highload Superdex）Ｓ２００カラム（２６／６０ｃｍ、アマシャム（Amersham））に適用し、１ｍＬ分−１で溶出する。活性留分を再びプールし、次いで、２０ｍＭの酢酸ナトリウム緩衝剤、ｐＨ４．５で平衡にされた２０ｍＬのＱ−ソース（Q-Source）カラム（１．６×１０ｃｍ、アマシャム（Amersham））に適用する。カラムは、緩衝剤の線状減少勾配（２０〜１ｍＭの酢酸ナトリウム緩衝剤、ｐＨ４．５、２０カラム体積）を用いて溶出される。ＣＤＨ活性の留分を再び濃縮し、更なる実験に使用する（Ｂａｍｉｎｇｅｒ，Ｕ．ｅｔ  ａｌ．「Ｐｕｒｉｆｉｃａｔｉｏｎ  ａｎｄ  ｃｈａｒａｃｔｅｒｉｚａｔｉｏｎ  ｏｆ  ｃｅｌｌｏｂｉｏｓｅ  ｄｅｈｙｄｒｏｇｅｎａｓｅ  ｆｒｏｍ  ｔｈｅ  ｐｌａｎｔ  ｐａｔｈｏｇｅｎ  Ｓｃｌｅｒｏｔｉｕｍ（Ａｔｈｅｌｉａ）ｒｏｌｆｓｉｉ．」Ａｐｐｌｉｅｄ  ａｎｄ  Ｅｎｖｉｒｏｎｍｅｎｔａｌ  Ｍｉｃｒｏｂｉｏｌｏｇｙ  ６７．４（２００１）：１７６６〜７４に記載の方法に類似）。
【００８２】
（ｂ）ミリオコッカム・サーモフィラムからのＣＤＨの製造及び精製
ミリオコッカム・サーモフィラムＣＢＳ  ３８９．６９を黴培養研究センター（Centraalbureau voor Schimmelcultures）（オランダ、バーン（Baarn））から入手することができる。有機体は、定期的な移送中、グルコース−マルトースサブロー寒天プレート上で３７℃にて維持される。振盪フラスコ培養物を、５００ｍＬの培養媒質の入ったバッフルされた１０００ｍＬのエルレンマイヤーフラスコ（Erlenmeyer flask）内で継続的に攪拌（１１０ｒｐｍ）しながら４０℃にて成長させる。媒質は、２０ｇＬ−１のａ−セルロース、５ｇＬ−１のペプトン、５ｇＬ−１の酵母エキス、１ｇＬ−１のＭｇＳＯ４・７Ｈ２Ｏ及び０．３ｍｌＬ−１の微量元素の溶液を含有する。ｐＨは、殺菌前にリン酸でｐＨ６．０に調整される。黴コロニーの成長部分から切断されたいくつかの寒天プラグが、接種材料として使用される。接種されたフラスコは、ＣＤＨの活性が測定できるまで、最大１０日間培養される。
発酵及び精製の両方については、Ｈａｒｒｅｉｔｈｅｒ，Ｗ．ｅｔ  ａｌ．「Ｉｎｖｅｓｔｉｇａｔｉｏｎ  ｏｆ  ｇｒａｐｈｉｔｅ  ｅｌｅｃｔｒｏｄｅｓ  ｍｏｄｉｆｉｅｄ  ｗｉｔｈ  ｃｅｌｌｏｂｉｏｓｅ  ｄｅｈｙｄｒｏｇｅｎａｓｅ  ｆｒｏｍ  ｔｈｅ  ａｓｃｏｍｙｃｅｔｅ  Ｍｙｒｉｏｃｏｃｃｕｍ  ｔｈｅｒｍｏｐｈｉｌｕｍ．」Ｅｌｅｃｔｒｏａｎａｌｙｓｉｓ  １９，２〜３（２００７）：１７２〜８０に記載されている。
【００８３】
（ｃ）ヒューミコラ・インソレンスからのＣＤＨの製造及び精製
この酵素の合成及び精製の詳細は、米国特許第６０３３９８１号に見ることができ、これは参照により本明細書に組み込まれる。
【００８４】
（ｄ）標準酵素アッセイ
セロビオースデヒドロゲナーゼ酵素の活性は、以下の標準文献のアッセイのうちの１つ以上を使用して測定することができる。
（ｉ）２，６−ジクロロフェノール−インドフェノール（ＤＣＩＰ）アッセイ
これは、３０ｍＭのラクトース及び２０ｍＭのＮａＦの２０μＬの試料を含有する８０ｍＭの酢酸ナトリウム緩衝液、ｐＨ４．０中で、０．３ｍＭのＤＣＩＰの経時的還元を、３０℃で５２０ｎｍにおける吸収を測定することにより、セロビオースデヒドロゲナーゼ活性を測定する。
５２０ｎｍ及びｐＨ４．０でのＤＣＩＰの消散係数は、７．３＊１０−３Ｍ−１ｃｍ−１である。酵素活性の１つの単位は、選択されたアッセイ条件（ｐＨ４．０、３０℃）で１μｍｏｌのＤＣＩＰを１分間に還元する酵素の量として定義される。このアッセイはＢａｍｉｎｇｅｒ，Ｕ．ｅｔ  ａｌ．「Ａ  ｓｉｍｐｌｅ  ａｓｓａｙ  ｆｏｒ  ｍｅａｓｕｒｉｎｇ  ｃｅｌｌｏｂｉｏｓｅ  ｄｅｈｙｄｒｏｇｅｎａｓｅ  ａｃｔｉｖｉｔｙ  ｉｎ  ｔｈｅ  ｐｒｅｓｅｎｃｅ  ｏｆ  ｌａｃｃａｓｅ．」Ｊｏｕｒｎａｌ  ｏｆ  Ｍｉｃｒｏｂｉｏｌｏｇｉｃａｌ  Ｍｅｔｈｏｄｓ  ３５．３（２００２）：２５３〜５９に記載されている）、並びに／又は
（ｉｉ）シトクロムｃアッセイ
あるいは、ＣＤＨ活性は、５５０ｎｍ（３０℃）にて、３０ｍＭのラクトースを含有する５０ｍＭのＮａ−スクシネート緩衝剤、ｐＨ３．５中で、２０μＭシトクロムｃの還元を行うことで選択的に測定することができる。消散係数は、１９．６ｍＭ−１ｃｍ−１である。この方法は、Ｌｕｄｗｉｇ，Ｒ．ａｎｄ  Ｄ．Ｈａｌｔｒｉｃｈ．「Ｏｐｔｉｍｉｓａｔｉｏｎ  ｏｆ  ｃｅｌｌｏｂｉｏｓｅ  ｄｅｈｙｄｒｏｇｅｎａｓｅ  ｐｒｏｄｕｃｔｉｏｎ  ｂｙ  ｔｈｅ  ｆｕｎｇｕｓ  Ｓｃｌｅｒｏｔｉｕｍ（Ａｔｈｅｌｉａ）ｒｏｌｆｓｉｉ．」Ａｐｐｌｉｅｄ  Ｍｉｃｒｏｂｉｏｌｏｇｙ  Ａｎｄ  Ｂｉｏｔｅｃｈｎｏｌｏｇｙ  ６１．１（２００３）：３２〜３９の文献に記載されている。
【００８５】
（実施例２〜７）
手洗い用又はトップローディング式洗濯機用に設計されている顆粒状洗濯洗剤組成物。
【表１】
2011509330.tif 000002
＊本発明の酵素を指し、重量％は活性酵素タンパク質としてである。
【００８６】
（実施例８〜１１）
フロントローディング式自動洗濯機用に設計されている顆粒状洗濯洗剤組成物。
【表２】
2011509330.tif 000003
＊本発明の酵素を指し、重量％は活性酵素タンパク質としてである。
【００８７】
上記の組成物のいずれかを用いて、水中濃度１０，０００ｐｐｍ、２０〜９０℃、水：布の比率５：１で布地を洗濯する。一般的なｐＨは約１０である。
【００８８】
（実施例１２〜１７）強力液体洗濯洗剤組成物
【表３】
2011509330.tif 000004
＊引用数字は１００ｇ当たりの酵素量（ｍｇ）
＊＊本発明の酵素を指し、重量％は活性酵素タンパク質としてである。
１米国特許第４，５９７，８９８号に記載のとおり
２ＢＡＳＦからの商標名ＬＵＴＥＮＳＩＴ（登録商標）及びＰＣＴ国際公開特許第０１／０５８７４号に記載されているものなどで入手可能
【００８９】
実施例１８−ＡＤＷ二相パウチ
パウチ製造方法：
表１の組成物を二区画層状ＰＶＡの長方形ベースパウチに導入する。クリス−クラフトインダストリアルプロダクツ（Chris-Craft Industrial Products）により供給されるモノゾール（Monosol）Ｍ８６３０フィルムから二区画パウチを製造する。１７．２ｇの粒子状組成物及び４ｇの液体組成物をパウチの２つの異なる区画に入れる。２ｋｇの負荷の元でのパウチ寸法を以下に示す：長さ３．７ｃｍ、幅３．４ｃｍ及び高さ１．５ｃｍ。それゆえに長手方向／横断方向の縦横比は１．５：３．２又は１：２．４７である。このパウチは、２つのエンドレス表面処理（two-endless surface process）を使用して製造され、両方の表面は、連続水平直線運動で移動する。このプロセスにより、パウチの第１ウェブは、第１エンドレス表面上に取り付けられた開放パウチの第１移動ウェブを形成して充填し、開放パウチの第１ウェブを、それと同時に移動する、充填し密封したパウチの第２ウェブで封止することにより、準備される。
【表４】
2011509330.tif 000005
＊本発明の酵素を指し、重量％は活性酵素タンパク質としてである。
【００９０】
３０，０００の上述のパウチ及び７０℃の１，８００Ｌの蒸留水をドライヤーフォーベルグ（Dryer Forberg）（モデルＦＴ  ５０００）に入れ、その混合物をスラリーに変換し、次いでそのスラリーを乾燥させ顆粒状にし、続いて８５０μｍの振動篩で分離する。次に、篩を通過しない粉末をハマーミル（Hammer Mill）で挽き、先に分離された留分と再びブレンドする。得られた組成物は、上述の製造方法に従って、多区画パウチの製造に使用される。
【００９１】
（実施例１９〜２２）自動食器洗浄組成物
【表５】
2011509330.tif 000006
１ドイツ、ルートウィヒスハーフェンのＢＡＳＦによりトリロン（Trilon）（登録商標）Ｍの商標名で販売。
２そのような好適なポリマーの１つは、日本の日本触媒（NipponShokubai）によりアクアリック（Aqualic）ＴＬの商標名で販売されるであろう。
３米国テネシー州のアルコケミカル（Alco Chemical）によりアルコスパース（Alcosperse）７２５の商標名で販売。
＊本発明の酵素を指し、重量％は活性酵素タンパク質としてである。
【００９２】
実施例２〜２２の組成物の原料及び注記
平均脂肪族炭素鎖長がＣ１１〜Ｃ１２である直鎖アルキルベンゼンスルホネートは、ステパン（Stepan）（米国イリノイ州ノースフィールド（Northfield））から供給されている。
【００９３】
Ｃ１２〜１４ジメチルヒドロキシエチルアンモニウムクロリドは、クラリアント（Clariant GmbH）（ドイツ、シュルツバッハ（Sulzbach））から供給されている。
【００９４】
ＡＥ３Ｓは、ステパン（Stepan）（米国イリノイ州ノースフィールド（Northfield））から供給されているＣ１２〜１５アルキルエトキシ（３）サルフェートである。
【００９５】
ＡＥ７は、ハンツマン（Huntsman）（米国ユタ州ソルトレークシティ（Salt Lake City））から供給されている、平均エトキシル化度が７のＣ１２〜１５アルコールエトキシレートである。
【００９６】
ナトリウムトリポリホスフェートは、ローディア（Rhodia）（フランス、パリ）から供給されている。
【００９７】
ゼオライトＡは、インダストリアル・ゼオライト（ＵＫ）（Industrial Zeolite（UK） Ltd）（英国エセックス州グレイズ）から供給される。
【００９８】
１．６Ｒケイ酸塩は、コマ（Koma）（チェコ共和国ネステミカ（Nestemica））から供給される。
【００９９】
炭酸ナトリウムは、ソルベー（Solvay）（米国テキサス州ヒューストン）から供給される。
【０１００】
ポリアクリレートＭＷ  ４５００は、ＢＡＳＦ（ドイツ、ルートウィヒスハーフェン（Ludwigshafen））から供給されている。
【０１０１】
カルボキシメチルセルロースは、ＣＰＫｅｌｃｏ（オランダ、アルンヘム）から供給されているフィンフィックス（Finnfix）（登録商標）ＢＤＡである。
【０１０２】
サビナーゼ（Savinase）（登録商標）、ナタラーゼ（Natalase）（登録商標）、リペックス（Lipex）（登録商標）、デュラミル（Duramyl）（登録商標）、ターマミル（Termamyl）（登録商標）、マナウェイ（Mannaway）（登録商標）は、ノボザイムス（Novozymes）（デンマーク、バウスヴェア（Bagsvaerd））から供給される。
【０１０３】
蛍光増白剤１はチノパル（Tinopal）（登録商標）ＡＭＳ、蛍光増白剤２はチノパル（Tinopal）（登録商標）ＣＢＳ−Ｘ、スルホン化亜鉛フタロシアニン及びダイレクトバイオレット９はペルガゾール（Pergasol）（登録商標）バイオレットＢＮ−Ｚであり、これらは全てチバスペシャルティケミカルズ（Ciba Specialty Chemicals）（スイス、バーゼル）から供給される。
【０１０４】
ジエチレントリアミン５酢酸は、ダウケミカル（Dow Chemical）（米国ミシガン州ミッドランド）から供給される。
【０１０５】
ナトリウムペルカーボネートは、ソルベイ（Solvay）（米国テキサス州ヒューストン（Houston））から供給されている。
【０１０６】
過ホウ酸ナトリウムは、デグッサ（Degussa）（ドイツ、ハーナウ）から供給される。
【０１０７】
ＮＯＢＳは、イーストマン（Eastman）（米国アーカンソー州ベーツビル（Batesville））から供給されているナトリウムノナノイルオキシベンゼンスルホネートである。
【０１０８】
ＴＡＥＤは、クラリアント社（Clariant GmbH）（ドイツ、シュルツバッハ（Sulzbach））からパーアクティブ（Peractive）（登録商標）のブランド名で供給されているテトラアセチルエチレンジアミンである。
【０１０９】
Ｓ−ＡＣＭＣは、メガザイム（Megazyme）（アイルランド、ウィックロー）からアゾ−ＣＭ−セルロース（AZO-CM-CELLULOSE）という製品名（製品コードＳ−ＡＣＭＣ）で販売されている、Ｃ．Ｉ．リアクティブブルー１９で共役されているカルボキシメチルセルロースである。
【０１１０】
汚れ放出剤は、ローディア（Rhodia）（フランス、パリ）から供給されるリペロテックス（Repel-o-tex）（登録商標）ＰＦである。
【０１１１】
アクリル酸／マレイン酸コポリマーは、分子量が７０，０００、アクリレート：マレエートの比率が７０：３０であり、ＢＡＳＦ（ドイツ、ルートウィヒスハーフェン（Ludwigshafen））から供給されている。
【０１１２】
プロテアーゼは、ジェネンコアインターナショナル（Genencor International）（米国カリフォルニア州パロアルト）から供給されているＦＮ３である。
【０１１３】
エチレンジアミン−Ｎ，Ｎ−二コハク酸、（Ｓ，Ｓ）異性体（ＥＤＤＳ）のＮａ塩は、オクテル（Octel）（英国エルズミアポート）から供給される。
【０１１４】
ヒドロキシエタンジホスホネート（ＨＥＤＰ）は、ダウ・ケミカル（Dow Chemical）（米国ミシガン州ミッドランド）から供給される。
【０１１５】
泡抑制剤疑集体は、ダウコーニング（Dow Corning）（米国ミシガン州ミッドランド）から供給される。
【０１１６】
ＨＳＡＳは、米国特許第６，０２０，３０３号及び同第６，０６０，４４３号で開示されているような中鎖分枝状アルキルサルフェートである。
【０１１７】
Ｃ１２〜１４ジメチルアミンオキシドは、プロクター＆ギャンブル・ケミカルズ（Procter & Gamble Chemicals）（米国オハイオ州シンシナティ）から供給される。
【０１１８】
非イオン性物質は、好ましくは平均エトキシル化度が９のＣ１２〜Ｃ１３エトキシレートであるのが好ましい。
【０１１９】
プロテアーゼは、ジェネンコアインターナショナル（Genencor International）（米国カリフォルニア州パロアルト）から供給される。
【０１２０】
リキティント（Liquitint）（登録商標）バイオレットＣＴは、ミリケン（Milliken）（米国サウスカロライナ州スパルタンバーグ）から供給されている。
【０１２１】
実施例で使用されるその他の略語
【表６】
2011509330.tif 000007
【０１２２】
本明細書に開示されている寸法及び値は、列挙した正確な数値に厳しく制限されるものとして理解すべきではない。それよりむしろ、特に指定されない限り、こうした各寸法は、列挙した値と、その値周辺の機能的に同等の範囲との両方を意味することを意図したものである。例えば、「４０ｍｍ」として開示された寸法は、「約４０ｍｍ」を意味することを意図する。
【０１２３】
「発明を実施するための形態」で引用した全ての文献は、関連部分において本明細書に参考として組み込まれるが、いずれの文献の引用も、それが本発明に関して先行技術であることを容認するものとして解釈すべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【０１２４】
本発明の特定の諸実施形態を図示し、記載したが、本発明の趣旨及び範囲から逸脱することなく他の様々な変更及び修正を実施できることが当業者には自明であろう。したがって、本発明の範囲内にあるそのような全ての変更及び修正を添付の特許請求の範囲で扱うものとする。
【国際調査報告】
2011509330.tif 000008
2011509330.tif 000009
2011509330.tif 000010